(57)【要約】【課題】  走行方向変化時、高速走行時および障害物検出時に、障害物の検出とその状態の監視を適正かつ円滑に行う。【解決手段】  スキャン制御ルーチン１０ａは、走行方向および走行速度に関する外部信号と、距離測定ルーチン１０ｂからの障害物検出結果およびそれまでの距離に関する信号をもとに、レーザ光のスキャン軌跡を制御する。たとえば、右折時には、走行方向中心軸から右折方向に偏った部分のスキャン頻度が高められるスキャン軌跡を設定する。また、高速走行時には、走行方向中心部分のスキャン頻度が高められるスキャン軌跡を設定する。さらに、障害物が閾値距離よりも接近する位置に検出されたときには、障害物近傍のスキャン頻度が高められるスキャン軌跡を設定する。これにより、走行方向変化時、高速走行時および障害物検出時において、障害物の検出とその状態の監視が適正かつ円滑に行われる。【選択図】    図１
2006258604.tif 000002
【特許請求の範囲】
【請求項１】
レーザ光を目標領域に照射して前記目標領域内の障害物を検出する検出装置において、
前記レーザ光のスキャン軌跡を該検出装置が搭載される移動体の移動状態に関する信号に基づいて制御するスキャン制御手段を有する、
ことを特徴とする検出装置。
【請求項２】
請求項１において、
前記スキャン制御手段は、前記移動体の進行方向および／もしくは進行速度に関する信号に基づいて、前記レーザ光のスキャン軌跡を設定する、
ことを特徴とする検出装置。
【請求項３】
請求項２において、
前記スキャン制御手段は、前記移動体の進行方向に関する信号に基づいて、前記レーザ光のスキャン軌跡を、前記進行方向の中心軸から前記進行方向の変化方向に偏った部分のスキャン頻度が高められるスキャン軌跡に設定する、
ことを特徴とする検出装置。
【請求項４】
請求項３において、
前記スキャン制御手段は、前記移動体の進行方向に関する信号に基づいて、前記目標領域を、前記進行方向の中心軸から前記進行方向の変化方向にシフトさせる、
ことを特徴とする検出装置。
【請求項５】
請求項３または４において、
前記スキャン制御手段は、前記移動体の進行方向に関する信号に基づいて、前記目標領域内における前記レーザ光のスキャンパターンを、前記目標領域の中心部から前記進行方向の変化方向に偏った部分のスキャン頻度が高められるスキャンパターンに設定する、
ことを特徴とする検出装置。
【請求項６】
請求項２において、
前記スキャン制御手段は、前記移動体の進行速度に関する信号に基づいて、前記レーザ光のスキャン軌跡を、前記進行方向の中心部分のスキャン頻度が高められるスキャン軌跡に設定する、
ことを特徴とする検出装置。
【請求項７】
請求項６において、
前記スキャン制御手段は、前記移動体の進行速度に関する信号に基づいて、前記目標領域を、前記進行方向の中心部分に向けて縮小させる、
ことを特徴とする検出装置。
【請求項８】
請求項６または７において、
前記スキャン制御手段は、前記移動体の進行速度に関する信号に基づいて、前記目標領域内における前記レーザ光のスキャンパターンを、前記目標領域の中心部分のスキャン頻度が高められるスキャンパターンに設定する、
ことを特徴とする検出装置。
【請求項９】
レーザ光を目標領域に照射して前記目標領域内の障害物を検出する検出装置において、
前記レーザ光のスキャン軌跡を前記障害物の検出結果に基づいて制御するスキャン制御手段を有する、
ことを特徴とする検出装置。
【請求項１０】
請求項９において、
前記スキャン制御手段は、前記障害物の検出結果に基づいて、前記レーザ光のスキャン軌跡を、前記障害物近傍のスキャン頻度が高められるスキャン軌跡に設定する、
ことを特徴とする検出装置。
【請求項１１】
請求項１０において、
前記スキャン制御手段は、前記障害物の検出結果に基づいて、前記スキャン軌跡の原点を前記障害物の検出位置に設定し、前記目標領域内における前記レーザ光のスキャンパターンを、前記設定された原点に反復回帰するスキャンパターンに設定する、
ことを特徴とする検出装置。
【請求項１２】
請求項９ないし１１の何れかにおいて、
前記スキャン制御手段は、前記障害物との距離が閾値距離よりも小さいときに、前記レーザ光のスキャン軌跡を前記障害物近傍のスキャン頻度が高められるスキャン軌跡に設定する、
ことを特徴とする検出装置。
【発明の詳細な説明】
【技術分野】
【０００１】
本発明は、レーザ光を目標領域に照射して目標領域内の障害物を検出する検出装置に関し、たとえば、自動車や飛行機等の移動体に搭載して好適なものである。
【背景技術】
【０００２】
近年、走行時の安全性を高めるために、目標領域にレーザ光を照射して走行方向前方の障害物を検出する検出装置が家庭用乗用車等に搭載されている。かかる検出装置は、レーザ光を目標領域内にてスキャンさせ、その反射光の有無から目標領域内の障害物を検出する。通常走行時には、走行方向前方に設定された目標領域をレーザ光がくまなくスキャンするようなスキャンパターンが設定される。各スキャン位置においてパルス光を出力し、その反射光を光検出器が受光するかによって、そのスキャン位置における障害物の有無を検出する。このとき同時に、パルス光の出力タイミングから反射光の受光タイミングまでの時間をもとに障害物までの距離が測定される。
【０００３】
なお、以下の特許文献１には、加速度センサーを用いて走行方向とレーザ光の照射方向のズレを検出し、レーザ光の照射方向を走行方向に向けるように調整する技術が記載されている。
【特許文献１】特開平１１−３２５８８５号公報
【発明の開示】
【発明が解決しようとする課題】
【０００４】
かかる検出装置においては、たとえば走行方向が右旋回あるいは左旋回に変化するような場合、特に、これから旋回しようとする方向の障害物をいち早く検出して次の走行制御の適正化を図るのが重要となる。また、高速走行時においては、走行方向遠方の障害物をいち早く検出して走行制御に反映するのが重要となる。さらに、走行方向前方に障害物を検出した場合には、特に、その障害物がどのような動き、状態にあるのかを細かく監視する必要がある。
【０００５】
上記特許文献１には、レーザ光の照射方向を走行方向に向けるように調整する技術が記載されているものの、高速走行時や障害物検出時におけるスキャン制御については記載されておらず、また、走行方向変化時においても、単に、レーザ光の照射方向を走行方向に向けるように調整することが記載されるに留まっている。
【０００６】
そこで、本発明は、スキャン制御の適正化を図ることにより、走行方向変化時、高速走行時および障害物検出時において障害物の動きや状態を精度よく検出できる検出装置を提供することを課題とする。
【課題を解決するための手段】
【０００７】
上記課題に鑑み本発明は、以下の特徴を有する。
【０００８】
請求項１の発明は、レーザ光を目標領域に照射して前記目標領域内の障害物を検出する検出装置において、前記レーザ光のスキャン軌跡を該検出装置が搭載される移動体の移動状態に関する信号に基づいて制御するスキャン制御手段を有することを特徴とする。
【０００９】
請求項２の発明は、請求項１に記載の検出装置において、前記スキャン制御手段は、前記移動体の進行方向および／もしくは進行速度に関する信号に基づいて、前記レーザ光のスキャン軌跡を設定することを特徴とする。
【００１０】
請求項３の発明は、請求項２に記載の検出装置において、前記スキャン制御手段は、前記移動体の進行方向に関する信号に基づいて、前記レーザ光のスキャン軌跡を、前記進行方向の中心軸から前記進行方向の変化方向に偏った部分のスキャン頻度が高められるスキャン軌跡に設定することを特徴とする。
【００１１】
請求項４の発明は、請求項３に記載の検出装置において、前記スキャン制御手段は、前記移動体の進行方向に関する信号に基づいて、前記目標領域を、前記進行方向の中心軸から前記進行方向の変化方向にシフトさせることを特徴とする。
【００１２】
請求項５の発明は、請求項３または４に記載の検出装置において、前記スキャン制御手段は、前記移動体の進行方向に関する信号に基づいて、前記目標領域内における前記レーザ光のスキャンパターンを、前記目標領域の中心部から前記進行方向の変化方向に偏った部分のスキャン頻度が高められるスキャンパターンに設定することを特徴とする。
【００１３】
請求項６の発明は、請求項２に記載の検出装置において、前記スキャン制御手段は、前記移動体の進行速度に関する信号に基づいて、前記レーザ光のスキャン軌跡を、前記進行方向の中心部分のスキャン頻度が高められるスキャン軌跡に設定することを特徴とする。
【００１４】
請求項７の発明は、請求項６に記載の検出装置において、前記スキャン制御手段は、前記移動体の進行速度に関する信号に基づいて、前記目標領域を、前記進行方向の中心部分に向けて縮小させることを特徴とする。
【００１５】
請求項８の発明は、請求項６または７に記載の検出装置において、前記スキャン制御手段は、前記移動体の進行速度に関する信号に基づいて、前記目標領域内における前記レーザ光のスキャンパターンを、前記目標領域の中心部分のスキャン頻度が高められるスキャンパターンに設定することを特徴とする。
【００１６】
請求項９の発明は、レーザ光を目標領域に照射して前記目標領域内の障害物を検出する検出装置において、前記レーザ光のスキャン軌跡を前記障害物の検出結果に基づいて制御するスキャン制御手段を有することを特徴とする。
【００１７】
請求項１０の発明は、請求項９に記載の検出装置において、前記スキャン制御手段は、前記障害物の検出結果に基づいて、前記レーザ光のスキャン軌跡を、前記障害物近傍のスキャン頻度が高められるスキャン軌跡に設定することを特徴とする。
【００１８】
請求項１１の発明は、請求項１０に記載の検出装置において、前記スキャン制御手段は、前記障害物の検出結果に基づいて、前記スキャン軌跡の原点を前記障害物の検出位置に設定し、前記目標領域内における前記レーザ光のスキャンパターンを、前記設定された原点に反復回帰するスキャンパターンに設定することを特徴とする。
【００１９】
請求項１２の発明は、請求項９ないし１１の何れかに記載の検出装置において、前記スキャン制御手段は、前記障害物との距離が閾値距離よりも小さいときに、前記レーザ光のスキャン軌跡を前記障害物近傍のスキャン頻度が高められるスキャン軌跡に設定することを特徴とする。
【発明の効果】
【００２０】
請求項１ないし８の発明によれば、走行方向変化時および高速走行時にスキャン軌跡の適正化が図られる。これにより、走行方向変化方向および走行方向遠方の障害物を精度よく検出することができる。
【００２１】
すなわち、請求項３ないし５の発明によれば、走行方向中心軸から走行方向の変化方向に偏った部分のスキャン頻度が高められるため、走行方向の変化方向にある障害物をいち早く検出することができる。また請求項６ないし８の発明によれば、走行方向中心部分のスキャン頻度が高められるため、走行方向遠方の障害物をいち早く検出することができる。
【００２２】
請求項９ないし１２の発明によれば、障害物検出時にスキャン軌跡の適正化が図られる。これにより、障害物の動きや状態を精度よく検出することができる。
【００２３】
すなわち、請求項１０および１１の発明によれば、障害物近傍のスキャン頻度が高められるため、障害物の動きや状態を細かく検出することができる。また、請求項１２の発明によれば、障害物が接近しているときにのみ障害物近傍のスキャン頻度が高められ、障害物が未だ遠方にあり障害物の動きや状態を細かく検出する必要がないときは障害物近傍のスキャン頻度は高められない。よって、不必要な障害物の監視を回避でき、スキャン制御の適正化を図ることができる。
【００２４】
本発明の特徴は、以下に示す実施形態の説明により更に明らかとなろう。ただし、以下に示す実施形態は、あくまでも実施形態の例示であって、これにより本発明ないし各構成要件の用語の意義が制限されるものではない。
【発明を実施するための最良の形態】
【００２５】
以下、本発明の実施の形態につき図面を参照して説明する。なお、本実施の形態は、自動車に搭載されるビーム照射装置に本発明を適用したものである。本実施の形態では、自動車前方からビームがスキャン照射されることにより、スキャン領域内の障害物の有無と、障害物までの距離が測定される。
【００２６】
図１に実施の形態に係るビーム照射装置の構成を示す。
【００２７】
図示の如く、ビーム照射装置は、ＤＳＰ（Digital Signal Processor）制御回路１０と、ＤＡＣ（Digital Analog Converter）２０と、レーザ駆動回路３０と、アクチュエータ駆動回路４０と、ビーム照射ヘッド５０と、ＰＳＤ（Position Sensitive Detector）信号処理回路６０と、ＡＤＣ（Analog Digital Converter）７０と、ＰＤ（Photo Detector）信号処理回路８０と、ＡＤＣ９０を備えている。
【００２８】
ＤＳＰ制御回路１０は、レーザ駆動回路３０およびアクチュエータ駆動回路４０を駆動制御するためのデジタル信号をＤＡＣ２０に出力する。また、ＡＤＣ９０から入力されるデジタル信号をもとに、スキャン領域内に含まれる障害物の位置と障害物までの距離を検出する。ＤＳＰ制御回路１０には、スキャン制御ルーチン１０ａと距離測定ルーチン１０ｂが配備されている。
【００２９】
このうち、スキャン制御ルーチン１０ａには、自動車の操舵方向と速度に関する信号が外部信号として入力され、また、距離測定ルーチン１０ｂによって検出された障害物の位置と障害物までの距離に関する信号が入力される。スキャン制御ルーチンは、これらの信号をもとに、スキャンパターンないしスキャン領域を変更する。スキャン制御ルーチンにおけるスキャン制御については、追って詳述する。
【００３０】
距離測定ルーチン１０ｂには、高周波の内部クロックが入力されている。距離測定ルーチンは、各スキャン位置において出力されるパルス光の出力タイミングからその反射光の受光タイミングまでのクロック数Ｎをカウントする。そして、カウントしたクロック数Ｎをもとに、当該スキャン位置における障害物の有無と障害物までの距離Ｌを検出する。たとえば、内部クロックの周期をＴとして、Ｌ＝Ｃ（光速）×Ｔ×Ｎ／２を演算することにより障害物までの距離を検出する。なお、予め決められた時間内に反射光を受光できない場合は、当該スキャン位置には障害物が存在しないとされる。
【００３１】
ＤＡＣ２０は、ＤＳＰ制御回路１０から入力されたデジタル信号をアナログ信号（制御信号）に変換してレーザ駆動回路３０およびアクチュエータ駆動回路４０に出力する。レーザ駆動回路３０は、ＤＡＣ２０から入力された制御信号に応じて、ビーム照射ヘッド５０内の半導体レーザ１００を駆動する。アクチュエータ駆動回路４０は、ＤＡＣ２０から入力された制御信号に応じて、ビーム照射ヘッド５０内のレンズアクチュエータ３００を駆動する。
【００３２】
ビーム照射ヘッド５０は、前方空間に設定された目標領域にレーザ光をスキャンさせながら照射する。図示の如く、ビーム照射ヘッド５０は、半導体レーザ１００と、アパーチャ２００と、レンズアクチュエータ３００と、ビームスプリッタ４００と、集光レンズ５００と、ＰＳＤ６００と、受光レンズ７００と光検出器８００を備えている。
【００３３】
半導体レーザ１００から出射されたレーザ光は、アパーチャ２００によって所望の形状に整形された後、レンズアクチュエータ３００に支持された照射レンズに入射される。ここで、照射レンズは、同図のＹ−Ｚ平面方向に変位可能となるよう、レンズアクチュエータ３００によって支持されている。したがって、照射レンズを通過したレーザ光は、レンズアクチュエータ３００の駆動に応じて、Ｙ−Ｚ平面方向に出射角度が変化する。これにより、目標領域におけるレーザ光のスキャンが行われる。
【００３４】
照射レンズを通過したレーザ光は、ビームスプリッタ４００によってその一部が反射され、照射レーザ光（目標領域に照射されるレーザ光）から分離される。分離されたレーザ光（分離光）は、集光レンズ５００を通してＰＳＤ６００上に収束される。ＰＳＤ６００は、同図のＸ−Ｙ平面に平行な受光面を有しており、この受光面上における分離光の収束位置に応じた電流を出力する。ここで、受光面上における分離光の収束位置と目標領域上における前記照射レーザ光の照射位置は一対一に対応している。よって、ＰＳＤ６０から出力される電流は、目標領域上における前記照射レーザ光の照射位置に対応するものとなっている。なお、ＰＳＤ６００の構成および電流の出力動作については、図４、図５を参照しながら追って詳述する。
【００３５】
ＰＳＤ６００からの出力電流はＰＳＤ信号処理回路６０に入力される。ＰＳＤ信号処理回路６０は、入力された電流から分離光の収束位置を表す電圧信号をＡＤＣ７０に出力する。ＡＤＣ７０は、入力された電圧信号をデジタル信号に変換してＤＳＰ制御回路１０に出力する。かかる電圧信号はＤＳＰ制御回路１０内のスキャン制御ルーチン１０ａに入力される。スキャン制御ルーチン１０ａは、入力された電圧信号をもとに、受光面上における分離光の収束位置を検出する。
【００３６】
なお、ＤＳＰ制御回路１０には、レーザ光の照射位置を目標領域内においてスキャンさせるためのテーブル（スキャンテーブル）と、このテーブルに従ってレーザ光をスキャンさせたときの、受光面上における分離光の収束位置の軌道を示すテーブル（軌道テーブル）が配備されている。
【００３７】
スキャン制御ルーチン１０ａは、レーザ光のスキャン動作時、スキャンテーブルを参照しながらアクチュエータ駆動回路４０を制御するための信号をＤＡＣ２０に出力する。また、同時に、ＡＤＣ７０から入力された信号をもとに受光面上における分離光の収束位置を検出し、検出した位置と軌道テーブルにて規定された所期の収束位置とを比較して、検出位置が所期の収束位置に引き込まれるよう、アクチュエータ駆動回路４０を制御するための信号をＤＡＣ２０に出力する。かかるサーボ動作によって、照射レーザ光は、スキャンテーブルにて規定された軌道に沿うよう目標領域内をスキャンする。なお、サーボ動作の詳細は、図７を参照しながら追って詳述する。
【００３８】
さらに、スキャン制御ルーチン１０ａは、レーザ光のスキャン動作時、半導体レーザ１００の出射パワーを低レベルＰｗａに設定するための信号を、ＤＡＣ２０を介してレーザ駆動回路３０に出力する。また、これと同時に、受光面上における分離光の収束位置を監視し、この収束位置が、障害物検出や距離検出等を行うための位置（発光点）として予め設定され位置に到達したタイミングにて、半導体レーザ１００の出射パワーを一定期間だけパルス状に高レベルＰｗｂに設定するための信号を、ＤＡＣ２０を介してレーザ駆動回路３０に出力する。ここで、パワーＰｗａは、少なくとも、上記受光面上における分離光の位置検出を行える程度の電流がＰＳＤ６００から出力される程度のものとなるようなパワーに設定される。また、パワーＰｗｂは、所期の障害物検出や距離検出等を行うに十分なパワーに設定される。しかして、照射レーザ光は、目標領域内を低パワーにてスキャンしながら、発光点に到達したタイミングにて高パワーに発光する。
【００３９】
目標領域内の各スキャン位置に障害物が存在するとき、高パワーにて発光されたレーザ光は、障害物によって反射され、その反射光が、受光レンズ７００を介して光検出器８００にて受光される。光検出器８００は、受光量に応じた大きさの電気信号をＰＤ信号処理回路８０に出力する。ＰＤ信号処理回路８０は、光検出器８００から入力された電気信号を増幅およびノイズ除去してＡＤＣ９０に出力する。ＡＤＣ９０は、入力された信号をデジタル信号に変換して距離測定ルーチン１０ｂに出力する。距離測定ルーチン１０ｂは、ＡＤＣ９０から入力されたデジタル信号をもとに反射レーザ光の受光タイミングを検出し、この受光タイミングと、スキャン制御ルーチン１０ａから入力される高パワーレーザ光の出力タイミングとから、当該スキャン位置における障害物までの距離を検出する。そして、その検出結果をスキャン制御ルーチン１０ａに出力する。
【００４０】
図２に、レンズアクチュエータ３００の構成（分解斜視図）を示す。
【００４１】
同図を参照して、照射レンズ３０１は、レンズホルダー３０２中央の開口に装着される。レンズホルダー３０２には、４つの側面にそれぞれコイルが装着されており、各コイル内にヨーク３０３中央の突出部が図示矢印のように挿入される。各ヨーク３０３は、両側の舌片が一対のヨーク固定部材３０５の凹部に嵌入される。さらに、それぞれのヨーク固定部材３０５に、ヨーク３０３の舌片を挟むようにして磁石３０４が固着される。この状態にて、ヨーク固定部材３０５が磁石３０４とともにベース（図示せず）に装着される。
【００４２】
さらに、ベースには一対のワイヤー固定部材３０６が装着されており、このワイヤー固定部材３０６にワイヤー３０７を介してレンズホルダー３０２が弾性支持される。レンズホルダー３０２には四隅にワイヤー３０７を嵌入するための孔が設けられている。この孔にそれぞれワイヤー３０７を嵌入した後、ワイヤー３０７の両端をワイヤー固定部材３０６に固着する。これにより、レンズホルダー３０２がワイヤー３０７を介してワイヤー固定部材３０６に弾性支持される。
【００４３】
駆動時には、レンズホルダー３０２に装着されている各コイルに、上記アクチュエータ駆動回路４０から駆動信号が供給される。これにより、電磁駆動力が発生し、照射レンズ３０１がレンズホルダーとともに２次元駆動される。
【００４４】
図３は、レンズアクチュエータ３００を駆動して照射レンズ３０１を一方向に変位させたときの、照射レーザ光の出射角度とＰＳＤ受光面上における分離光（同図ではモニター光）の収束位置の関係（シミュレーション）を示すものである。同図に示す如く、分離光の変位量は照射レーザ光の出射角度に比例して増加する。なお、同図の特性にうねりが生じているのは、照射レンズを２次元駆動することによって、ＰＳＤ受光面上の分離光に収差が生じるためである。
【００４５】
図４に、ＰＳＤ６００の構造を示す。なお、同図は、図１において、ＰＳＤ６００をＹ軸方向から見たときの構造を示すものである。
【００４６】
図示の如く、ＰＳＤ６００は、Ｎ型高抵抗シリコン基板の表面に、受光面と抵抗層を兼ねたＰ型抵抗層を形成した構造となっている。抵抗層表面には、図１のＸ方向における光電流を出力するための電極Ｘ１、Ｘ２と、図１のＹ方向における光電流を出力するための電極Ｙ１、Ｙ２（同図では図示省略）が形成されている。また、裏面側には共通電極が形成されている。
【００４７】
受光面に分離光が収束されると、収束位置に光量に比例した電荷が発生する。この電荷は光電流として抵抗層に到達し、各電極までの距離に逆比例して分割されて、電極Ｘ１、Ｘ２、Ｙ１、Ｙ２から出力される。ここで、電極Ｘ１、Ｘ２、Ｙ１、Ｙ２から出力される電流は、分離光の収束位置から各電極までの距離に逆比例して分割された大きさを有している。よって、電極Ｘ１、Ｘ２、Ｙ１、Ｙ２から出力される電流値をもとに、受光面上における収束位置を検出することができる。
【００４８】
図５（ａ）は、ＰＳＤ６００の有効受光面を示す図である。また、図５（ｂ）は、電極Ｘ１、Ｘ２、Ｙ１、Ｙ２から出力される電流をもとにＰＳＤ信号処理回路６０にて生成される位置検出電圧と、有効受光面上における分離光の収束位置の関係を示す図である。なお、図５（ａ）では有効受光面を正方形としている。また、図５（ｂ）では、有効受光面のセンター位置を基準位置（０位置）として、基準位置に対する収束位置のＸ方向およびＹ方向の変位量と出力電圧の関係を示している。
【００４９】
上記ＰＳＤ信号処理回路６０は、電極Ｘ１、Ｘ２、Ｙ１、Ｙ２から出力される電流をもとに、収束位置のＸ方向変位量に対応する電圧Ｘoutと、Ｙ方向変位量に対応する電圧Ｙoutを生成し、ＡＤＣ７０を介してＤＳＰ制御回路１０に出力する。ＤＳＰ制御回路１０は、入力された電圧ＸoutとＹoutから収束位置のＸ方向変位量とＹ方向変位量を検出する。
【００５０】
図６を参照して、本実施例におけるスキャン動作について説明する。
【００５１】
同図（ａ）に示すように、ビーム照射装置の前方空間に設定された目標領域をマトリクス状に分割したとき、照射レーザ光は、スキャン軌跡上のマトリクスを順番に照射するようにしてスキャンされる。ここで、マトリクスのスキャン順序は任意に設定できる。同図（ｂ）は、左上隅のマトリクス位置から順次１ラインずつスキャンするようにスキャン軌跡が設定されたときのものである。なお、スキャン軌道（スキャン順序）は、上述の如く、ＤＳＰ制御回路１０内のスキャンテーブルによって規定される。
【００５２】
同図（ｂ）のようにしてスキャンされる場合、ＰＳＤ６００の受光面上における分離光の収束位置は、同図（ｃ）に示す軌道に沿って移動する。ここで、同図（ｃ）の軌道は、同図（ｂ）のスキャン軌道に対し、一対一に対応している。したがって、同図（ｃ）の軌道上における収束位置から照射レーザ光のスキャン位置を識別することができる。なお、この場合、同図（ｃ）の軌道は、上述の如く、ＤＳＰ制御回路１０内の軌道テーブルに従うこととなる。
【００５３】
ビーム照射装置においては、同図（ｂ）に示すスキャン軌道に沿って照射レーザ光がスキャンされるのが最も理想的である。しかし、通常は、ビーム照射装置に対して不所望な振動や外乱等が加えられることにより、照射レーザ光のスキャン位置が所期のスキャン軌道から外れてしまう。この場合、かかるスキャン位置の外れに応じて、有効受光面上における分離光の収束位置も同図（ｃ）に示す軌道から外れることとなる。
【００５４】
図７は、有効受光面上における分離光のスポット軌道の一例を示すものである。かかる場合、スキャン制御ルーチン１０ａは、上述の如く、分離光の収束位置を目標軌道に引き込むよう、アクチュエータ駆動回路４０にサーボ信号を供給する。
【００５５】
今、分離光の収束位置がＰ(x,y)にあり、このとき、目標軌道上にあるべき収束位置がＰ’(x',y')であるとする。ここで、目標軌道上の収束位置Ｐ’(x',y')は、ＤＳＰ制御回路１０内に設定された軌道テーブルから取得される。具体的には、照射レーザ光のスキャン位置に対応する収束位置が軌道テーブルから取得される。
【００５６】
このとき、スキャン制御ルーチン１０ａは、Ｐ(x,y)とＰ’(x',y')をもとに、Ｅx＝ｘ−ｘ’とＥy＝ｙ−ｙ’を演算し、演算結果をもとに、Ｅx＝０、Ｅy＝０になるよう、アクチュエータ駆動回路４０にサーボ信号を供給する。これにより、照射レーザ光のスキャン位置は、当該タイミングにおいてスキャン軌道上にあるべきスキャン位置方向に引き戻される。これに応じて、分離光の収束位置も、当該タイミングにおいて目標軌道上にあるべき収束位置Ｐ’(x',y')の方向に引き込まれる。かかるサーボ動作によって、照射レーザ光は所期のスキャン軌道に追従するようスキャンされる。
【００５７】
このようにサーボを掛けながらスキャン動作を行っている間、スキャン制御ルーチン１０ａは、上述の如く、分離光の収束位置が、障害物検出や距離検出等を行うための位置（発光点）として予め設定され位置に到達したかを監視する。そして、収束位置が発光点に到達したタイミングにて、半導体レーザ１００の出射パワーを一定期間だけパルス状に高レベルＰｗｂに設定する。
【００５８】
ここで、収束位置が発光点に到達したかの判別は、収束位置と発光点の間の距離差が予め設定した距離差より小さくなったかによって行う。これにより、収束位置が目標軌道から多少外れていても、所期の収束位置近傍で、高パワーの発光を行うことができる。
【００５９】
図８に、スキャン動作時のフローチャートを示す。
【００６０】
Ｓ１０１にてスキャン動作が開始されると、Ｓ１０２にて半導体レーザ１００から低パワー（Ｐｗａ）のレーザ光が出射された後、Ｓ１０３にて照射レーザ光の照射位置がホームポジションへ移動される。なお、ホームポジションは、たとえば、図６（ｂ）に示すマトリクスのうち、左端で且つ上下方向中央あたりのマトリクス位置に設定される。さらに、Ｓ１０４にて照射レーザ光に対する軌道サーボがＯＮとされた後、Ｓ１０５にてスキャン動作が開始される。
【００６１】
次に、Ｓ１０６にてスキャン位置が発光点に到達したかが判別される。発光点に到達していなければ、Ｓ１０８にてスキャン動作が終了したかが判別された後、Ｓ１０５に戻り、軌道サーボＯＮの状態にて引き続きスキャン動作が実行される。他方、スキャン位置が発光点に到達した場合には、Ｓ１０７にて半導体レーザ１００の出射レーザパワーが一定期間だけパルス状に高パワーＰｗｂに設定され、高パワーの照射レーザ光が目標領域に照射される。このとき、目標領域からの反射光を受光することにより、当該ビーム照射装置を搭載した検出器において、障害物測定や距離測定等の処理が行われる。
【００６２】
しかる後、Ｓ１０８にてスキャン動作が終了したかが判別され、終了していなければ、Ｓ１０５に戻り、上述のスキャン動作（低パワーＰｗａによる）が繰り返される。他方、スキャン動作が終了すれば、Ｓ１０９にて軌道サーボがＯＦＦとされた後、Ｓ１１０にて半導体レーザがＯＦＦとされる。
【００６３】
このように、本実施の形態によれば、照射レーザ光のスキャン位置が所期のスキャン軌道から外れた場合にも、これを当該スキャン軌道に円滑に引き戻すことができる。よって、不所望な振動や外乱がビーム照射装置に加えられた場合にも、安定したスキャン動作を実現することができる。
【００６４】
なお、上記では、図７を参照して説明したように、分離光の収束位置Ｐ(x,y)を、当該タイミングにおいて目標軌道上にあるべき収束位置Ｐ’(x',y')に引き込むようにしてサーボを掛けるようにしたが、この他のサーボ処理にて、分離光の収束位置を目標軌道上に引き込むようにすることもできる。たとえば、図９に示すように、当該タイミングよりΔＴだけ経過したタイミングにおいて目標軌道上にあるべき収束位置Ｐ’(xa',ya')に引き込むようにすることもできる。この場合、ＤＳＰ制御回路１０は、Ｐ(x,y)とＰ’(xa',ya')をもとに、Ｅx＝ｘ−ｘa’とＥy＝ｙ−ｙa’を演算し、演算結果をもとに、Ｅx＝０、Ｅy＝０になるよう、アクチュエータ駆動回路４０にサーボ信号を供給する。こうすると、照射レーザ光のスキャン位置を次に予定されているスキャン位置に円滑に引き込むことができ、効率的なスキャン動作を実現することができる。
【００６５】
次に、スキャンパターンとスキャン領域の設定について説明する。
【００６６】
図１０に、上記スキャン制御ルーチン１０ａにて設定され得るスキャンパターンのバリエーションを示す。なお、これらのスキャンパターンは、右左折時、高速走行時あるいは障害物検出時に用いて好ましいものである。これらのスキャンパターンは、上記の如く、レーザ光の照射位置を目標領域内においてスキャンさせるためのテーブル（スキャンテーブル）と、このテーブルに従ってレーザ光をスキャンさせたときの受光面上における分離光の収束位置の軌道を示すテーブル（軌道テーブル）として、ＤＳＰ制御回路１０に保持される。
【００６７】
図１０（ａ）は、スキャン領域中心部のスキャン比重を高める場合のスキャンパターンである。このスキャンパターンは、高速走行時に用いて好ましいものである。すなわち、高速走行時には、自動車の走行路上、遠方に存在する障害物をいち早く検出する必要がある。図１０（ａ）のように、スキャン領域中心部のスキャン比重を高めることにより、直進遠方位置のスキャン頻度が高められ、これにより、遠方位置にある障害物を円滑に検出することができる。
【００６８】
図１０（ｂ）は、左右幅方向中央部のスキャン比重を高める場合のスキャンパターンである。このスキャンパターンも図１０（ａ）の場合と同様、高速走行時に用いて好ましいものである。すなわち、このスキャンパターンにおいても、直進遠方位置のスキャン頻度が高められるため、直進遠方位置にある障害物を円滑に検出することができる。
【００６９】
図１０（ｃ）は、上下幅方向中央部のスキャン比重を高める場合のスキャンパターンである。このスキャンパターンも、上記のパターンと同様、高速走行時に用いて好ましいものである。すなわち、このスキャンパターンにおいても、直進遠方位置のスキャン頻度が高められ、直進遠方位置にある障害物を円滑に検出することができる。また、このパターンの場合は、図１０（ｂ）の場合に比べ、スキャン頻度が大きい領域が左右方向に拡張されるため、障害物の検出精度を高め得る領域を直進左右方向に拡張することができる。よって、直進進行路に対する障害物の急な飛び出しの可能性等を検出することができる。
【００７０】
図１０（ｄ）は、左右幅方向右側部分のスキャン比重を高める場合のスキャンパターンである。このスキャンパターンは、右折走行時に用いて好ましいものである。すなわち、右折走行時には、自動車が曲がろうとする右側部分に障害物が存在しないかをいち早く検出する必要がある。図１０（ｄ）のように、右側領域のスキャン比重を高めることにより、右側領域のスキャン頻度が高められ、これにより、進行方向右側位置にある障害物を円滑に検出することができる。なお、左右幅方向左側部分のスキャン比重を高める場合のスキャンパターンは、図１０（ｄ）のスキャンパターンを左右対称に折り返したものとなる。この場合は、左側領域のスキャン頻度が高められ、進行方向左側位置にある障害物を円滑に検出することができる。
【００７１】
図１０（ｅ）は、左右幅方向右側部分のスキャン比重を高める場合のスキャンパターンである。このスキャンパターンも、上記図１０（ｄ）のパターンと同様、右折走行時に用いて好ましいものである。すなわち、このスキャンパターンにおいても、右側領域のスキャン頻度が高められるため、進行方向右側位置にある障害物を円滑に検出できる。なお、左右幅方向左側部分のスキャン比重を高める場合のスキャンパターンは、図１０（ｅ）のスキャンパターンを左右対称に折り返したものとなる。この場合は、左側領域のスキャン頻度が高められ、進行方向左側位置にある障害物を円滑に検出することができる。
【００７２】
図１０（ｆ）は、スキャン領域内のある一点（目標位置）のスキャン比重を高める場合のスキャンパターンである。このスキャンパターンは、障害物検出時に用いて好ましいものである。すなわち、障害物検出位置を目標位置に設定することにより、障害物位置近傍のスキャン頻度が高められ、障害物の位置変化等を円滑に検出できる。なお、図１０（ｆ）のスキャンパターンは、図１０（ａ）のスキャンパターンのスキャン原点（図１０（ａ）ではスキャン領域中心部）を目標位置に変更する演算処理を実行することにより取得することができる。この場合、ＤＳＰ制御回路１０には、図１０（ａ）のスキャンパターンが保持される。スキャン制御ルーチン１０ａは、保持されたスキャンパターンに対して、スキャン原点を変更するための演算処理を実行する。
【００７３】
図１１および図１２は、右折走行時におけるスキャン領域とスキャンパターンの変更例を示すものである。
【００７４】
まず、図１１を参照して、直進走行時には、同図（ａ）のスキャンパターンが設定されている。この状態から、ドライバーがハンドルを右側に旋回し右折操舵に関する信号がスキャン制御ルーチン１０ａに入力されると、同図（ｂ）（ｃ）（ｄ）に示す如く、スキャン領域のシフトあるいはスキャンパターンの変更が行われる。
【００７５】
図１１（ｂ）は、進行方向前方の中心軸に対してスキャン領域が右側にそのままシフトされるときの例を示している。この場合、進行方向前方の中心軸に対して非対称な範囲（右側にシフトした範囲）がスキャンされる。これにより、自動車が曲がろうとする右側部分に障害物が存在しないかをいち早く検出することができる。この場合、ＤＳＰ制御回路１０には図１１（ａ）のスキャンパターンが保持される。また、スキャン制御ルーチン１０ａは、保持されたスキャンパターンに対して、スキャン領域を操舵方向およびその角度に応じて変更するための処理を実行する。なお、この場合、スキャン領域の中心軸と進行方向の中心軸との角度は、たとえば、操舵角度に対して単純増加となるように設定される。  図１１（ｃ）は、スキャン領域はシフトせずに、スキャンパターンを右側領域の比重が高められるパターンに変更するときの例を示している。この場合も、右折方向に障害物が存在しないかをいち早く検出することができる。また、進行方向前方の中心軸に対して対称な領域がスキャンされるため、図１１（ａ）の場合と異なり、進行方向前方方向の障害物も検出できる。なお、この場合、ＤＳＰ制御回路１０には、図１１（ａ）のスキャンパターンの他に、図１１（ｃ）のスキャンパターンが保持される。また、スキャン制御ルーチン１０ａは、保持されたスキャンパターンのうち操舵方向に対応するスキャンパターンを選択設定する処理を実行する。
【００７６】
図１１（ｄ）は、スキャン領域を右側にシフトさせ、さらに、スキャンパターンを右側領域の比重が高められるパターンに変更するときの例を示している。この場合は、図１１（ｂ）および図１１（ｃ）の場合よりもさらに右折方向に障害物が存在しないかをいち早く検出することができる。なお、この場合、ＤＳＰ制御回路１０には、図１１（ａ）のスキャンパターンの他に、図１１（ｃ）のスキャンパターンが保持される。また、スキャン制御ルーチン１０ａは、保持されたスキャンパターンのうち、舵方向に対応するスキャンパターンを選択設定する処理と、操舵方向およびその角度に応じてスキャン領域を変更するための処理を実行する。
【００７７】
図１２は、図１１の例において、直進走行時のスキャンパターンを、図１１（ａ）のスキャンパターンから図１２（ａ）のスキャンパターンに置き換えた場合を例示するものである。この場合、右折操舵に関する信号がスキャン制御ルーチン１０ａに入力されると、同図（ｂ）（ｃ）（ｄ）に示す如く、スキャン領域のシフトあるいはスキャンパターンの変更が行われる。これらの例においては、図１１（ａ）（ｂ）（ｃ）の例と同様、右側部分に障害物が存在しないかをいち早く検出することができる。
【００７８】
なお、左折操舵時の場合には、図１１および図１２の例とは反対に、スキャン領域が左側にシフトされ、あるいは、スキャンパターンが左側領域加重のパターンに変更される。
【００７９】
図１３は、走行速度が増加したときのスキャン領域とスキャンパターンの変更例を示すものである。図中、速度１は第１の閾値速度を越えるまでの走行速度、速度２は第１の閾値速度を越えてから第２の閾値速度を越えるまでの走行速度、速度３は第２の閾値速度を越える速度である。この場合、スキャン制御ルーチン１０ａは、外部信号として走行速度に関する信号をモニタし、そのときの速度に応じて、スキャン領域とスキャンパターンを適宜変更する。
【００８０】
図１３（ａ）（ｂ）の例では、速度の増加に応じてスキャン領域が次第に縮小される。これにより、直進遠方位置のスキャン頻度が高められ、直進遠方位置にある障害物を円滑に検出できるようになる。なお、この場合、ＤＳＰ制御回路１０には、速度１のときに適用されるスキャンパターンが保持される。また、スキャン制御ルーチン１０ａは、スキャン領域を走行速度に応じて変更するための処理を実行する。
【００８１】
図１３（ｃ）の例では、まず、速度の増加に応じてスキャンパターンが中央部加重のパターンに変更され、さらに速度が増加するとスキャン領域が縮小される。この例においても、直進遠方位置のスキャン頻度が高められ、直進遠方位置にある障害物を円滑に検出できる。なお、この場合、ＤＳＰ制御回路１０には、速度１のときに適用されるスキャンパターンと速度１のときに適用されるスキャンパターンが保持される。また、スキャン制御ルーチン１０ａは、そのときの速度に応じてスキャンパターンを選択設定する処理と、スキャン領域を走行速度に応じて変更するための処理を実行する。
【００８２】
図１４は、障害物検出時におけるスキャンパターンの変化を示すものである。
【００８３】
同図（ａ）に示す通常走行時において、同図（ｂ）または（ｃ）に示す如く、スキャン領域内に障害物が検出されると、スキャンパターンの原点位置が障害物検出位置に変更され、それに応じてスキャン領域のスキャン軌跡が同図に示すように変更される。このスキャン軌跡の変更により、障害物位置近傍のスキャン頻度が高められ、障害物の位置変化等を円滑に検出できる。この場合、ＤＳＰ制御回路１０には、図１４（ａ）のスキャンパターンが保持される。また、スキャン制御ルーチン１０ａは、保持されたスキャンパターンに対して、スキャン原点を障害物検出位置に変更してスキャン軌跡を再設定するための演算処理を実行する。
【００８４】
図１５は、操舵方向と速度が変化したことに応じてスキャンパターンを変更する場合の処理フローチャートである。
【００８５】
スキャン動作が開始されると、まず、スキャンパターンの原点位置がスキャン領域の中心位置に設定される。（Ｓ１１）さらに、通常走行時に適用されるべきスキャンパターンがスキャン動作時のパターンとして設定される（Ｓ１２）。次に、逐次入力される外部信号をもとに、進行方向に変化があるか（右旋回操舵or左旋回操舵）が判別され（Ｓ１３）、進行方向に変化があれば（Ｓ１３：Ｙｅｓ）、初期設定されたスキャンパターンが、変化方向のスキャン比重を高めるスキャンパターン（たとえば、図１１ｂ〜ｄまたは図１２ｂ〜ｄ）に変更される（Ｓ１４）。進行方向に変化がなければ（Ｓ１３：Ｎｏ）、初期設定されたスキャンパターンのままとされる。
【００８６】
このようにしてスキャンパターンの設定がなされると、次に、そのとき入力される走行速度に関する外部信号をもとに走行速度が所定の閾値を越えているかが判別される（Ｓ１５）。ここで、走行速度が閾値を越えていれば（Ｓ１５：Ｙｅｓ）、走行速度に応じてスキャン領域が通常のスキャン領域よりも縮小され、走行方向中央部分のスキャン比重が高められる（Ｓ１６）。走行速度が閾値を越えていなければ（Ｓ１５：Ｎｏ）、通常のスキャン領域が当該スキャン動作時のスキャン領域として設定される。
【００８７】
しかして、スキャンパターンとスキャン領域が設定されると、そのスキャン領域にスキャンパターンを当てはめて当該スキャン動作時のスキャン軌跡が設定される。そして、このスキャン軌跡に沿ってレーザ光がスキャンされ、そのときの反射光の状態から、各スキャン位置における障害物の検出と障害物までの距離測定処理が行われる（Ｓ１７）。
【００８８】
このようにして、１回のスキャン動作が終了すると、Ｓ１１に戻り、同様の処理が繰り返し行われる。そして、スキャン毎に障害物の検出と障害物までの距離測定処理が行われ、自動車の走行状態を制御する制御回路等に出力される。
【００８９】
なお、Ｓ１６では、スキャン領域を縮小するに代えて、別のスキャンパターンを設定するようにしても良い。たとえば、Ｓ１３にて進行方向に変化がないとされた場合は、Ｓ１２にて初期化されたスキャンパターンを、Ｓ１６にて高速走行時に適したスキャンパターンに変更するようにしても良い。具体的には、初期設定されたスキャンパターンが図１２（ａ）に示すものである場合、これをＳ１６にて図１０（ａ）または（ｂ）のものに変更するようにしても良い。あるいは、Ｓ１３にて設定された右左折時に適したスキャンパターン、たとえば、図１１（ｃ）または図１２（ｃ）のスキャンパターンを、高速走行時と右左折時の両方に適したスキャンパターン、たとえば、スキャン領域のうち進行方向中央部と操舵方向側部のスキャン頻度を高めたスキャンパターンに変更するようにしてもよい。
【００９０】
また、Ｓ１４では、スキャンパターンの変更に代えて、あるいは、スキャンパターンの変更とともに、たとえば図１１（ｂ）（ｄ）および図１２（ｂ）（ｄ）に示すように、スキャン領域を操舵方向にシフトさせるようにしても良い。
【００９１】
なお、図１５は、操舵方向と速度が変化したことに応じてスキャンパターンを変更する場合の処理フローチャートであるが、操舵方向の変化のみに応じてスキャンパターンを変更する場合には、図１５のＳ１５、１６が省略される。また、速度の変化のみに応じてスキャンパターンを変更する場合には、図１５のＳ１３、１４が省略される。
【００９２】
図１５のフローチャートによれば、右左折時に操舵方向に存在する障害物をいち早く検出できるとともに、高速走行時に走行方向遠方に存在する障害物をいち早く検出することができる。
【００９３】
図１６は、障害物を検出したことに応じてスキャンパターンを変更する場合の処理フローチャートである。
【００９４】
スキャン動作が開始されると、まず、スキャンパターンの原点位置がスキャン領域の中心位置に設定され（Ｓ２１）、さらに、通常走行時に適用されるべきスキャンパターンがスキャン動作時のパターンとして設定される（Ｓ２２）。次に、設定されたスキャン領域にスキャンパターンを当てはめてスキャン動作時のスキャン軌跡が設定される。そして、このスキャン軌跡に沿ってレーザ光がスキャンされ、そのときの反射光の状態から、各スキャン位置における障害物の検出と障害物までの距離測定が行われる（Ｓ２３）。
【００９５】
かかる処理においてスキャン領域内に障害物が検出されると、各スキャン位置における障害物までの距離をもとに最も近いスキャン位置（スキャン領域内の座標位置）が決定される（Ｓ２４）。そして、この最も近いスキャン位置における障害物までの距離が閾値距離よりも小さいかが判別され（Ｓ２５）、小さければ（Ｓ２５：Ｙｅｓ）、この位置をスキャン座標の原点位置に設定して、設定後の原点位置に応じたスキャン軌跡が演算により求められる（Ｓ２６）。次のスキャンタイミングでは、求めたスキャン軌跡に沿ってレーザ光がスキャンされる。そして、各スキャン位置における障害物の検出と障害物までの距離の測定処理が行われる（Ｓ２３）。
【００９６】
かかるスキャン軌跡の再設定とそれによるスキャン動作は、スキャン領域内において障害物が検出されなくなるか、あるいは、最も近いスキャン位置における障害物までの距離が閾値距離よりも大きくなるまで繰り返される（Ｓ２５：Ｙｅｓ→Ｓ２６）。Ｓ２５における判別がＮｏとなると、Ｓ２１に戻り、スキャン原点位置とスキャンパターンが初期設定され（Ｓ２１、Ｓ２２）、これをもとにした障害物検出と距離測定が行われる（Ｓ２３）。
【００９７】
図１６のフローチャートによれば、障害物の検出に応じて障害物位置近傍のスキャン頻度が高められるため、障害物の位置変化等を円滑に検出できる。
【００９８】
以上、本発明に係る実施の形態について説明したが、本発明は上記実施の形態に限定されるものではない。
【００９９】
たとえば、上記実施の形態は、自動車用のビーム照射装置に本発明を適用したものであったが、船舶や飛行機等、他の移動体用のビーム照射装置に本発明を適用することも可能である。
【０１００】
本発明の実施の形態は、特許請求の範囲に示された技術的思想の範囲内において、適宜、種々の変更が可能である。
【図面の簡単な説明】
【０１０１】
【図１】実施形態に係るビーム照射装置の構成を示す図
【図２】実施形態に係るビーム照射ヘッドの構成を示す図
【図３】照射レーザ光の出射角度と分離光の収束位置の関係を示す図
【図４】実施形態に係るＰＳＤ６００の構造を示す図
【図５】ＰＳＤ６００の構造と位置検出電圧の変動を説明する図
【図６】実施形態に係るスキャン動作を説明する図
【図７】実施形態に係る軌道サーボの掛け方を説明する図
【図８】実施形態に係るスキャン動作時のフローチャート
【図９】実施形態に係る軌道サーボの掛け方の変更例を説明する図
【図１０】実施形態に係るスキャンパターン例を示す図
【図１１】実施形態に係る進行方向変化時におけるスキャンパターンの変更例を示す図
【図１２】実施形態に係る進行方向変化時におけるスキャンパターンの変更例を示す図
【図１３】実施形態に係る進行速度変化時におけるスキャンパターンの変更例を示す図
【図１４】実施形態に係る障害物検出時におけるスキャンパターンの変更例を示す図
【図１５】実施形態に係る進行方向変化および進行速度変化時におけるスキャンパターン変更処理の流れを示すフローチャート
【図１６】実施形態に係る障害物検出時におけるスキャンパターン変更処理の流れを示すフローチャート
【符号の説明】
【０１０２】
１０  ＤＳＰ制御回路
３０  レーザ駆動回路
４０  アクチュエータ駆動回路
５０  ビーム照射ヘッド
６０  ＰＳＤ信号処理回路
８０  ＰＤ信号処理回路
１００  半導体レーザ
３００  レンズアクチュエータ
３０１  照射レンズ
４００  ビームスプリッタ
５００  集光レンズ
６００  ＰＳＤ
７００  受光レンズ
８００  光検出器
【図１】
2006258604.tif 000003
【図２】
2006258604.tif 000004
【図３】
2006258604.tif 000005
【図４】
2006258604.tif 000006
【図５】
2006258604.tif 000007
【図６】
2006258604.tif 000008
【図７】
2006258604.tif 000009
【図８】
2006258604.tif 000010
【図９】
2006258604.tif 000011
【図１０】
2006258604.tif 000012
【図１１】
2006258604.tif 000013
【図１２】
2006258604.tif 000014
【図１３】
2006258604.tif 000015
【図１４】
2006258604.tif 000016
【図１５】
2006258604.tif 000017
【図１６】
2006258604.tif 000018